(57)【要約】【課題】現場において電柱の腕金の種類が異なる場合でも、１種の取付金具で対応することによって作業性及び携行性を良好にすると共に簡単な構造とすることによって製造、保管、管理等を簡単にしてコストを安価なものにした高圧カットアウト等の取付金具を提供する。【解決手段】長尺の板部材を用いて腕金Ｅの縦幅を上下から挟持する上側押え片２と下側押え片３とが折曲形成されると共に開口４が形成され、上側押え片２に係止用ボルト１０を枢設して起立片１７で制止すると共に、開口４に嵌入する際の腕金Ｅが係止用ボルト１０の突片１８を押し動かすことによって回動した係止用ボルト１０の先端ネジ部を下側押え片３のスリット２０に挿着してナット２４で締結することにより腕金の横幅一側を係止する一方、腕金の横幅変化に応じて位置を変え得る状態で上側押え片２と下側押え片３との間に締結された幅調整棒で腕金の横幅の他側を係止する。【選択図】図１
2004201454.tif 000002
【特許請求の範囲】
【請求項１】
電柱に固設された腕金に高圧カットアウト等の電気機器を付設する取付け金具において、長尺の板部材を用いて前記腕金の縦幅を上下から挟持する上側押え片と下側押え片とが折曲形成されると共にこれらの上側押え片と下側押え片との間に開口が形成され、前記上側押え片の折曲端側近傍には前記電気機器を結合するためのボルト穴が形成され、前記上側押え片の自由端側に係止用ボルトの一端を回動自在に枢設し、該係止用ボルトを上方に回動して傾斜状に倒立した状態を制止する起立片を形成すると共に、前記開口に嵌入する際の前記腕金が前記係止用ボルトの前記枢設部から反対側に延長形成された突片を押し動かすことによって回動した前記係止用ボルトの先端ネジ部を前記下側押え片のスリットに挿着してナットで締結することにより前記腕金の横幅一側を係止する一方、前記腕金の横幅変化に応じて位置を変え得る状態で前記上側押え片と前記下側押え片との間に締結された幅調整棒で前記腕金の横幅の他側を係止するようにしたことを特徴とする高圧カットアウト等の取付金具。
【請求項２】
前記上側押え片と前記下側押え片との夫々に前記腕金の横幅が２種の異なる外径を有する場合、前記上側押え片と前記下側押え片との夫々に前記２種の横幅の異なる外径に応じて位置を変えた２個ずつの穿孔が形成され、いずれの穿孔に前記幅調整棒を取り付けるかによって該幅調整棒の固定位置を調整するようにしたことを特徴とする請求項１記載の高圧カットアウト等の取付金具。
【請求項３】
前記上側押え片と前記下側押え片とを連結する幅調整棒は角柱形状であって端部にネジ部が形成されて成り、前記上側押え片または前記下側押え片の少なくとも一方に前記幅調整棒の角柱形状に嵌合する角形穴が穿設されたことによって前記幅調整部材の回り止めとしたことを特徴とする請求項１又は２記載の高圧カットアウト等の取付金具。
【請求項４】
前記下側押え片の先端部が下側に折曲形成されたことによって、下方へ回動した前記係止用ボルトの先端ネジ部に挿着した座金が係止されることによって抜け出し防止としたことを特徴とする請求項１、２又は３記載の高圧カットアウト等の取付金具。
【発明の詳細な説明】
【０００１】
【産業上の利用分野】
本発明は、電柱に固設された腕金に高圧電流遮断器、高圧電流開閉器、アレスタ等の電気機器類を設置するための取付け金具であって、電気機器類を腕金に簡単に結合できるように構成した高圧カットアウト等の取付金具に関するものである。
【０００２】
【従来の技術】
従来から、電柱に装備される高圧カットアウト、アレスタ等の電気機器類は、電柱の腕金に固定した取付金具を介して取り付けるようにしている。このような作業は、作業者が危険な高電圧の環境下において手作業で行うため、非常に危険を伴うものである。また、取付けるべき電気機器類には、高圧カットアウト、アレスタ等の異なる器種或は異なる形状が存在し、様々な取付け金具が必要となるため、各種の電気機器類を電柱の腕金に取付ける作業が非常に煩雑になるという問題があった。
【０００３】
このような問題を解消するために成された従来の技術として、特許第２６３１９５３号の「ホットステイック、マニピュレータ等の活線絶縁作業具により電柱に備えられた腕金や変台に電気機器を付設するための取付金具」がある。
【０００４】
この取付金具50は、図６(a)〜(c)又は図７に示すように、電気機器を結合するための結合部51を一端に備えてなるＵ字型止め金具53を有し、該Ｕ字型止め金具53は腕金Ｅを嵌合する開口54を有すると共に、該開口54の上端に備えたヒンジ部55にボルト56の旋回軸57を枢支して該旋回軸57からボルト56の反対側に突出する突片58を設けてなるものである。
【０００５】
この取付金具50の使用状況において、腕金Ｅを嵌合する前に、ボルト56を上方へ回動すると、ボルト56はヒンジ部55の近傍に形成されたボルト待機位置決め用突起59に係止され、この状態で開口54が開放されると共に、ボルト56の突片58は開口54側に向けて突出した状態になる。
【０００６】
そこで、Ｕ字型止め金具53の開口54を腕金Ｅに嵌合すべく移動すると、突片58が腕金Ｅに突き当たって押されるため、ボルト56が開口54の下端方向に旋回し、該開口54の下端に設けられた脱出防止部57のスリット58に挿通される。この状態で、ボルト56のネジ部56ａに座金60及びワッシャ61を嵌めてナット62で締結することにより、Ｕ字型止め金具53を腕金Ｅに固定した状態とすることができる。
【０００７】
【発明が解決しようとする課題】
ところで、電柱の腕金は、一般的に２種の異なる外径を有する。即ち、現行においては、腕金の高さを同一として、幅を2種に変えることによって異なる強度に対応するようにしている。従って、この腕金Ｅに取り付けるＵ字型止め金具53の開口は、図６(a)又は図７に示すように、高さＨ１を一定にしてボルト56とＵ字型止め金具53との成す奥行きが２種、即ち、図６(a)のＤ１、図７のＤ２というように、異なる取付金具を用意する必要がある。
【０００８】
このように、従来の取付金具50においては、僅かな寸法差で２種の金具を用意する必要があり、メーカー側においては、製作の手間や管理上の煩わしさがあり、さらには受注から保管管理、出荷までの一連の作業が複雑になるという問題があった。
【０００９】
また、ユーザー側においては、取付現場に到着して、はじめて現場の腕金の種類が判明するため、常に２種類の取付金具を携行しなければならないという煩わしさがあり、保管管理、或は発注業務等も煩雑になるという問題があった。
【００１０】
また、上記の取付金具50においては、図６(a)に示すように、Ｕ字型止め金具53に結合部51を溶接で固定し、該結合部51は両側の上方に突出したリブ51ａ、51ａを備え、両側のリブ51ａ、51ａ間に高圧カットアウト等の電気機器を固定した連結部材65を挟持してボルト66とナット67で締結するものである。ところが、このような構成は、積雪荷重が原因となって結合部51のリブ51ａが設けられていない部位や連結部材65の弱体部に変形が生じるという問題があった。
【００１１】
さらに、上記の取付金具50は、構成部品が結合部51とＵ字型止め金具53と補強板63とを溶接64で固定してあるため、電気溶接の技術と手間が必要であり、溶接による変形を防止するため、リブを設けたり、さらには溶接加工面のクリーナー等に煩雑な作業を必要とするものである。また、ボルト56のネジ部56ａにナット62を取り付ける際の締付けトルクによって変形が生じるのを防止するために補強金具63を溶接64で固定する等、手間のかかる工程を必要とし、コスト高となっていた。
【００１２】
本発明は、以上の問題点を解消すべく成されたもので、現場において電柱に取り付けられた腕金の種類が異なる場合でも、１種の取付金具で対応することができ、従って作業性及び携行性を良好にし、その構造を溶接部のない簡単な構造とすることによって製造を簡易にし、さらには保管や管理等を簡単にしてコストを安価なものにした高圧カットアウト等の取付金具を提供することを目的とする。
【００１３】
【課題を解決するための手段】
上記の課題を解決するために、本発明の請求項１の取付金具は、電柱に固設された腕金に高圧カットアウト等の電気機器を付設する取付け金具において、長尺の板部材を用いて前記腕金の縦幅を上下から挟持する上側押え片と下側押え片とが折曲形成されると共にこれらの上側押え片と下側押え片との間に開口が形成され、前記上側押え片の折曲端側近傍には前記電気機器を結合するためのボルト穴が形成され、前記上側押え片の自由端側に係止用ボルトの一端を回動自在に枢設し、該係止用ボルトを上方に回動して傾斜状に倒立した状態を制止する起立片を形成すると共に、前記開口に嵌入する際の前記腕金が前記係止用ボルトの前記枢設部から反対側に延長形成された突片を押し動かすことによって回動した前記係止用ボルトの先端ネジ部を前記下側押え片のスリットに挿着してナットで締結することにより前記腕金の横幅一側を係止する一方、前記腕金の横幅変化に応じて位置を変え得る状態で前記上側押え片と前記下側押え片との間に締結された幅調整棒で前記腕金の横幅の他側を係止するようにしたことを特徴とする。
【００１４】
また、本発明の請求項２の取付金具は、請求項１において、前記上側押え片と前記下側押え片との夫々に前記腕金の横幅が２種の異なる外径を有する場合、前記上側押え片と前記下側押え片との夫々に前記２種の横幅の異なる外径に応じて位置を変えた２個ずつの穿孔が形成され、いずれの穿孔に前記幅調整棒を取り付けるかによって該幅調整棒の固定位置を調整するようにしたことを特徴とする。
【００１５】
また、本発明の請求項３の取付金具は、請求項１又は２において、前記上側押え片と前記下側押え片とを連結する幅調整棒は角柱形状であって端部にネジ部が形成されて成り、前記上側押え片または前記下側押え片の少なくとも一方に前記幅調整棒の角柱形状に嵌合する角形穴が穿設されたことによって前記幅調整部材の回り止めとしたことを特徴とする。
【００１６】
また、本発明の請求項４の取付金具は、請求項１、２又は３において、前記下側押え片の先端部が下側に折曲形成されたことによって、下方へ回動した前記係止用ボルトの先端ネジ部に挿着した座金が係止されることによって抜け出し防止としたことを特徴とする。
【００１７】
【発明の実施の形態】
以下、本発明の実施例を図面に基づいて説明する。
【００１８】
本発明の取付金具１は、図５に示すように、不図示の電柱に備えられた腕金Ｅに高圧カットアウト、アレスタ等の異なる器種或は異なる形状等の電気機器３１に結合した結合部材３２を介して連結部材９を付設するための金具である。
【００１９】
現行において、電柱に備えられた腕金Ｅは、一般的に２種の外径を有する。即ち、その形状は断面長方形（図１の場合）又は断面正方形（図２の場合）であり、縦幅は一定であるが、横幅が２種に異なることによって、断面形状が長方形となるか、正方形となる。
【００２０】
本実施例は、上記のように横幅が２種に異なる外径の腕金Ｅに固定するための取付金具として構成してある。
【００２１】
その取付金具１は、図１に示すように、鋼材等の長尺の板部材を用いて腕金Ｅの縦幅を上下から挟持する上側押え片２と下側押え片３とが折曲形成されると共に、これらの上側押え片２と下側押え片３との間に開口４が形成されている。
【００２２】
このような構成において、上側押え片２と下側押え片３は上側押え片２が長尺に形成され、取付金具１の全体形状は逆台形を縦に半分割したような形状に形成され、上側押え片２と下側押え片３との間は登り勾配を有する傾斜状の高さ連結部５を有する形状にされている。
【００２３】
また、上記の構成において、上側押え片２の折曲端側近傍には電気機器の連結部材９を結合するためのボルト穴６（図３(a)参照）が形成され、該ボルト穴６に上向きに挿通されたボルト７に座金８ａやワッシャ８ｂ等を介してナット８が締結されることによって現場工事における各種機器の取付けに提供される。
【００２４】
なお、図３(a)に示すように、ボルト穴６は角形穴に形成され、角径を有するボルト７をこの角形のボルト穴６に嵌合することによってボルト７の回り止めとし、さらに各種機器の連結部材９の断面がコ字形に形成されたものを上側押え片２の折曲端近傍に上方から挟み込むように固定することによって連結部材９の回り止めとしている。
【００２５】
さらに、上側押え片２においてボルト穴６に隣設してボルト穴６’が形成されている。これはカラス等の野鳥の営巣行為を防止するための風車を固定するのに利用したり、その他の機器を取り付ける際のボルト穴として利用することができる。
【００２６】
また、図１又は図３(a)、(b)及び(c)に示すように、上側押え片２の自由端側に係止用ボルト10の一端を回動自在に枢設している。即ち、上側押え片２の自由端側の両側に起立状の折曲片１２、１２を形成し、両側の折曲片１２、１２に形成した穿孔部１３、１３（図３(a)参照）に枢支軸１４を挿通する。該枢支軸１４の一端は大径の頭部１４ａが形成され、その他端に形成された貫通穴１４ｂにピン１５が挿通され、該ピン１５が片側の折曲片１２の外側にて枢支軸１４の端部に挿着された大径座金１１に係止されることにより、該枢支軸１４の抜け防止とされている。
【００２７】
この枢支軸１４には、係止用ボルト10の端部に形成された平板部の枢支穴１０ａ（図１参照）が挿通され、係止用ボルト１０は枢支軸１４を中心に回動自在とされ、該係止用ボルト１０が下方垂直方向に回動し得るように上側押え片２の自由端側には端部から中央に沿ってスリット１６が形成されている。
【００２８】
図３(a)において、このスリット１６は上側押え片２の自由端側に有幅の２条の切り込み１６a、１６aを形成し、この切込みの内部を上方に起立することによってスリット１６が形成されると同時に起立片１７が形成される。また、上記のように下方に回動した係止用ボルト１０はスリット１６を挿通して下方垂直方向に回動することができる。
【００２９】
上記の係止用ボルト１０には、その枢設部から反対側に突片１８が延長形成されている。従って、図４(a)に示すように、係止用ボルト１０を上方に回動して傾斜状に倒立した状態を起立片１７で制止すると、この状態で突片１８が上側押え片２の下端から突出し、開口４の上部に突出した状態となる。このような構成によって、腕金Ｅを開口４に嵌入する際において、腕金Ｅが係止用ボルト１０の突片１８を押し動かすことにより、係止用ボルト１０が開口４を閉塞するように下方向へ回動する。
【００３０】
一方、図１又は図３(d)に示すように、下側押え片３の自由端側には端部から中央に沿ってスリット２０が形成されるとともに、下側押え片３の先端部（先端折曲部２１）が下側に折曲形成されている。このような構成により、上記のように下方へ回動した係止用ボルト１０の先端ネジ部１０ａをスリット２０に挿通して垂直下方に垂下した状態にし、係止用ボルト１０の先端ネジ部１０ａに大径の座金２２とワッシャ２３を挿着すると共にナット２４を締結すると、大径の座金２２が上記の先端折曲部２１に係止されて、ナット２４で締結した係止用ボルト１０の抜出しを防止することができる。
【００３１】
なお、上記のように係止用ボルト１０の先端ネジ部１０ａをナット２４で締め付けると、上側押え片２と下側押え片３の先端部が内側に変形するおそれがある。これに対処して、本実施例においては、上側押え片２においては自由端側の両側に形成した折曲片１２、１２によって変形を防止し、また下側押え片３においては大径の座金２２によって変形を防止するようにしている。
【００３２】
図１又は図２において、係止用ボルト１０は開口４に嵌入された腕金Ｅの横幅一側を係止するものであり、奥側の一側を係止するには幅調整棒２５を用いる。この幅調整棒２５は、腕金Ｅの横幅変化に応じて位置を変え得る状態で上側押え片２と下側押え片３との間に締結されたものであり、腕金Ｅの横幅の他側を係止することができる。
【００３３】
本実施例においては、図１又は図２に示すように、上側押え片２と下側押え片３との夫々に２種の横幅の異なる外径に応じて位置を変えた２個ずつのボルト穴２６、２６が形成されている。また、このような上側押え片２と下側押え片３とを連結する幅調整棒２５は角柱形状であって上端に大径頭部２５ａが形成され、下端部にネジ部２５ｂが形成されて成り、上側押え片２に幅調整棒２５の角柱形状に嵌合する角形穴２６ａ、２６ａが穿設されたことによって幅調整部材２５の回り止めとされている。
【００３４】
また、図４(a)に示すように、上側押え片２と下側押え片３間の開口４に腕金Ｅを挿入する際、上側押え片２と下側押え片３間の幅が腕金Ｅの縦幅よりも小になると、開口４に腕金Ｅが挿入できないという不都合が生じる。これを防止するために、幅調整棒２５の形状を図４(b)に示すようにしている。即ち、幅調整棒２５の本体部は上記のように角柱形であり、該幅調整棒２５の下端の円柱形のネジ部25ｂを上方の角柱形部分の径よりも小径とすることにより段部２５ｃを形成する。一方、下側押え片３のボルト穴２６を丸径にして、該丸径のボルト穴２６に幅調整棒２５のネジ部25ｂを挿入した際に、上記の段部２５ｃで係止した状態で、図４(b)に示すように、ネジ部２５ｂに座金２７とワッシャ２８を挿着してナット２９で締結することにより、上側押え片２と下側押え片３間の幅を一定値Ｈ（腕金Ｅの縦幅よりも僅かに大）に保つことができる。
【００３５】
このような構成により、図３(b)又は図４(a)に示すように、腕金Ｅの横幅に応じて選択された上側押え片２の角形穴２６ａと下側押え片３の穿孔２６に幅調整棒２５を挿通し、下端のネジ部２５ｂに対して座金２７及びワッシャ２８を挿通してナット２９で締結することにより、該幅調整棒２５を固定することができる。
【００３６】
上記の構成によって、現場において確認された腕金Ｅの横幅の変化に応じて取付金具１の幅調整棒２５の固定位置を調整することにより、上側押え片２と下側押え片３との間における係止用ボルト１０と幅調整棒２５との成す幅を規定することが可能となる。
【００３７】
なお、各図において、係止用ボルト１０の途中には突起３０が形成されている。これは、図４(a)に示すように、係止用ボルト１０を上方に回動して起立片１７に係止した状態にしたとき、座金２２とワッシャ２３が下方に落下しないようにするために設けられたものである。
【００３８】
【発明の効果】
以上説明したように、本発明の高圧カットアウト等の取付金具によれば、現場において確認された腕金の横幅の変化に応じて取付金具の幅調整棒の固定位置を調整することにより、上側押え片と下側押え片との間における係止用ボルトと幅調整棒との成す幅を規定することが可能となる。
【００３９】
従って、本発明による取付金具は、横幅の異なる腕金に対する共用型となり、作業者は一種類の本発明による取付金具を携行することによって、現場で初めて確認される腕金の横幅の変化に対応することができる。また、このような利点によって、本発明の取付金具は、その保管、管理或は発注業務、さらには運搬作業等における簡便化が可能となる。
【００４０】
さらに、本発明の取付金具は、腕金を開口に嵌入する際において、腕金が係止用ボルトの突片を押し動かすことにより、係止用ボルトが開口を閉塞するように下方向へ回動するため、活線絶縁作業具（ホットステック、マニュピュレータ等）を用いて高圧カットカットアウト等の各種の電気機器を簡単に挿着することができる。
【００４１】
また、本発明の取付金具は、長尺の板部材を折曲形成することによって形成することができ、部品点数を削減し得ると共に溶接部が不要であり、積雪荷重等に対する強度的にも信頼性があり、簡単な構成によって、製作コストが簡単且つ安価になるという利点がある。
【図面の簡単な説明】
【図１】本発明の実施例において長方形断面の腕金を固定した取付金具の全体斜視図である。
【図２】本発明の実施例において正方形断面の腕金を固定した取付金具の全体斜視図である。
【図３】本発明の実施例による取付金具を示す図であり、(a)は上面図、(b)は正面図、(c)は端面図、(d)は底面図である。
【図４】(a)は本発明の実施例による取付金具の施工時における動作説明図であり、(b)は本実施例における幅調整棒の拡大図である。
【図５】本発明の実施例による取付金具に筒形高圧カットアウトを取り付けた状態を示す施工図である。
【図６】従来の取付金具によって長方形断面の腕金を固定した状態を示す側面図である。
【図７】従来の取付金具によって正方形断面の腕金を固定した状態を示す側面図である。
【符号の説明】
１…取付金具
２…上側押え片
３…下側押え片
４…開口
５…高さ連結部
６…ボルト穴
７…ボルト
８…ナット
９…連結部材
１０…係止用ボルト
１２…折曲片
１３…穿孔部
１４…枢支軸
１４ａ…頭部
１４ｂ…貫通穴
１５…ピン
１０ａ…枢支穴
１４…枢支軸
１６…スリット
１７…起立片
１８…突片
２１…先端折曲部
１０ａ…先端ネジ部
２０…スリット
２２…座金
２３…ワッシャ
２４…ナット
２５…幅調整棒
２５ｂ…ネジ部
２５ｃ…段部
２６…ボルト穴
２６ａ…角形穴
２７…座金
２８…ワッシャ
２９…ナット
Ｅ…腕金
【図１】
2004201454.tif 000003
【図２】
2004201454.tif 000004
【図３】
2004201454.tif 000005
【図４】
2004201454.tif 000006
【図５】
2004201454.tif 000007
【図６】
2004201454.tif 000008
【図７】
2004201454.tif 000009